(57)【要約】【課題】検知ユニットにアタッチメントを組付螺子で取り付けると、出力切替スイッチが自動的に作動することを目的とする。【解決手段】  角用の検知ユニット１にはアタッチメント５が取り付けられる。検知ユニット１の外郭ケースは送信ケース１５と受信ケース１６とからなり、アタッチメント５の外郭ケースは、ボデイ部５ａとカバー部５ｂとからなる。カバー部５ｂは、赤外線を通す材質で構成され、角部の角度に合わせて赤外線の角度を曲げるための図示しない反射鏡４を覆う形状をしている。カバー部５ｂの下端部の両サイドには螺子孔３０が設けられ、この螺子孔３０に組付螺子３２を挿入し、さらにボデイ部５ａの螺子止め部７を貫通して検知ユニット１の螺子孔１０に螺合して組付螺子３２が最終的に固定された状態で、組付螺子３２の先端が送信部内に設置された出力切替スイッチ５２を押し込む。【選択図】  図２
2005128845.tif 000002
【特許請求の範囲】
【請求項１】
赤外線を送信する送信部および赤外線を受信する受信部とが一体形成されて防犯エリアの境界線に沿って一方の送信部と他方の受信部とが対向するように配置された複数の検知ユニットと、
前記防犯エリアの境界線の角部に配置された検知ユニットに取り付けられて検知ユニットの受信部へ赤外線を反射するか又は送信部からの赤外線を反射するアタッチメントとを備え、前記送信部から送信された赤外線を受信部で受信する際に侵入者により赤外線が遮られたときにこれを検知する防犯システムであって、
前記アタッチメントの前記検知ユニットへの取り付けによって該検知ユニットの受信部の赤外線の受信出力又は送信部の赤外線の送信出力を切り替える出力切替手段を有することを特徴とする防犯システム。
【請求項２】
請求項１記載の防犯システムであって、前記出力切替手段が前記受信部に設けられて赤外線を受信する受信出力又は前記送信部に設けられて赤外線を送信する送信出力を切り替える出力切替スイッチと、前記アタッチメントを前記検知ユニットに螺子止めすると共に前記出力切替スイッチを作動させる組付螺子とから成ることを特徴とする防犯システム。
【請求項３】
請求項１又は請求項２に記載の防犯システムであって、
前記アタッチメントは、前記検知ユニットの受信部側又は送信部側に取り付けられるボデイ部と、このボデイ部に設けられ入射した赤外線を受信部へ向けて反射又は出射した赤外線を他の検知ユニットの受信部へ向けて反射する反射鏡を覆うカバー部とからなることを特徴とする防犯システム。  
【請求項４】
請求項３記載の防犯システムであって、
前記アタッチメントは、前記反射鏡を回転駆動させて反射する赤外線の反射角度を変更可能な角度変更機構を有することを特徴とする防犯システム。
【請求項５】
請求項１乃至請求項４のいずれか一項に記載の防犯システムであって、前記出力切替手段の作動により受信部が受信した受信信号を増幅する第1の増幅手段と、前記出力切替手段の作動により送信部が送信する送信信号を増幅する第２の増幅手段の両方備えるか、或いは第1の増幅手段か第２の増幅手段かのどちらかを備えた制御手段を有することを特徴とする防犯システム。
【請求項６】
送信部から送信された赤外線を受信部で受信する際に侵入者により赤外線が遮られたときにこれを検知する防犯システムに用いられる検知装置であって、
赤外線を送信する送信部と赤外線を受信する受信部とが一体に形成されて防犯エリアの境界線に沿って配置される検知ユニットと、前記防犯エリアの境界線の角部に配置された検知ユニットに取り付けられて前記検知ユニットの受信部へ赤外線を導くか又は送信部からの赤外線を他の検知ユニットの受信部へ向けて反射するアタッチメントの前記検知ユニットへの取り付けによって、
該検知ユニットの受信部の赤外線の受信出力又は送信部の赤外線の送信出力を切り替える出力切替手段を有することを特徴とする検知装置。
【発明の詳細な説明】
【技術分野】
【０００１】
本発明は、防犯システムに関し、例えば侵入者が住宅外構フェンスを乗り越えた際に赤外線にてこれを検知して威嚇・報知等を行う防犯システムに関する。
【背景技術】
【０００２】
従来、住宅外構フェンスを侵入者が乗り越えたときにこれを検知する防犯システムとして、赤外線の送信機と受信機とを別々に設けて検知する方法が一般的に知られている。
【特許文献１】実開平６−６７９０８号公報
【発明の開示】
【発明が解決しようとする課題】
【０００３】
ところが、従来の方法では、送信機と受信機とが別々に構成されているため、その検知距離がフェンスの長さよりも短いときは、フェンスの支柱を中継部として、この支柱に２個の送信機と受信機とをそれぞれ背中合わせに設置する必要がある。またフェンスの角部においては、２個の送信機と受信機とを角度を変えて並べて設置する必要もある。
【０００４】
このため、侵入場所の特定をしやすくするためには送信機と受信機の数を増加する必要があるため、コストが高くなり、設置に手間がかかるという問題があった。
【０００５】
さらに、送信機と受信機の数が増えることで外部から見て目立ちやすくなり、意匠性に優れないだけでなく、見た目にも物々しいイメージが生じ、侵入者以外の者に対して監視による威圧感を与えるなど、住環境イメージが損なわれるという問題があった。
【０００６】
また、フェンスの角部に反射板を用いて赤外線の光軸軌道を曲げると、赤外線は反射時に拡散及び減衰する。このため、直線部と角部の検知ユニットを共通化して、直線部と角部の検知距離を同等にするためには角部の感度を上げる必要があった。そこで、送信部の出力をあげるか、或いは受信部での（受信後の出力をあげることにより）受信出力を上げる必要があるので出力切替スイッチが設けられる。ところが、現場作業時に切替に手間を要するので、切替忘れや切替間違い等の人的ミスが発生するという問題があった。
【０００７】
また、出力切替スイッチが露出するので、出力切替スイッチの防水、粉塵に対する長期の信頼性に問題があった。
【０００８】
そこで、本発明は、１組の検知ユニットに送信機能と受信機能を持たせることで検知ユニットの数を減らし、低コストで且つ意匠性に優れ、そして侵入場所の特定がしやすくなることを目的とする。
【０００９】
また、検知ユニットを目立ちにくくして、見た目にも物々しいイメージがなくなり、良好な住環境イメージを維持しながら防犯効果を高めることができる防犯システムを提供することを目的とする。
【００１０】
さらに、防犯エリアの角部の検知ユニットに反射鏡付きアタッチメントを組付螺子で容易に取り付けることができ、組付螺子の取り付けと同時に出力切替スイッチが自動的に作動する構造にして人的ミスを防止することを目的とする。
【００１１】
また、出力切替スイッチを露出させないことにより、出力切替スイッチの防水、粉塵に対する長期の信頼性を確保することを目的とする。
【課題を解決するための手段】
【００１２】
請求項１の発明は、赤外線を送信する送信部および赤外線を受信する受信部とが一体形成されて防犯エリアの境界線に沿って一方の送信部と他方の受信部とが対向するように配置された複数の検知ユニットと、前記防犯エリアの境界線の角部に配置された検知ユニットに取り付けられて検知ユニットの受信部へ赤外線を反射するか又は送信部からの赤外線を反射するアタッチメントとを備え、前記送信部から送信された赤外線を受信部で受信する際に侵入者により赤外線が遮られたときにこれを検知する防犯システムであって、前記アタッチメントの前記検知ユニットへの取り付けによって該検知ユニットの受信部の赤外線の受信出力又は送信部の赤外線の送信出力を切り替える出力切替手段を有することを特徴としている。
【００１３】
請求項２の発明は、請求項１記載の防犯システムであって、前記出力切替手段が前記受信部に設けられて赤外線を受信する受信出力又は前記送信部に設けられて赤外線を送信する送信出力を切り替える出力切替スイッチと、前記アタッチメントを前記検知ユニットに螺子止めすると共に前記出力切替スイッチを作動させる組付螺子とから成ることを特徴としている。
【００１４】
請求項３の発明は、請求項１又は請求項２に記載の防犯システムであって、前記アタッチメントは、前記検知ユニットの受信部側又は送信部側に取り付けられるボデイ部と、このボデイ部に設けられて入射した赤外線を受信部へ向けて反射又は出射した赤外線を他の検知ユニットの受信部へ向けて反射する反射鏡を覆うカバー部とからなることを特徴としている。  
請求項４の発明は、請求項３記載の防犯システムであって、前記アタッチメントは、前記反射鏡を回転駆動させて反射する赤外線の反射角度を変更可能な角度変更機構を有することを特徴としている。
【００１５】
請求項５の発明は、請求項１乃至請求項４のいずれか一項に記載の防犯システムであって、前記出力切替手段の作動により受信部が受信した受信信号を増幅する第1の増幅手段と、前記出力切替手段の作動により送信部が送信する送信信号を増幅する第２の増幅手段の両方備えるか、或いは第1の増幅手段か第２の増幅手段かのどちらかを備えた制御手段を有することを特徴としている。
【００１６】
請求項６の発明は、送信部から送信された赤外線を受信部で受信する際に侵入者により赤外線が遮られたときにこれを検知する防犯システムに用いられる検知装置であって、赤外線を送信する送信部と赤外線を受信する受信部とが一体に形成されて防犯エリアの境界線に沿って配置される検知ユニットと、前記防犯エリアの境界線の角部に配置された検知ユニットに取り付けられて前記検知ユニットの受信部へ赤外線を導くか又は送信部からの赤外線を他の検知ユニットの受信部へ向けて反射するアタッチメントの前記検知ユニットへの取り付けによって、該検知ユニットの受信部の赤外線の受信出力又は送信部の赤外線の送信出力を切り替える出力切替手段を有することを特徴としている。
【発明の効果】
【００１７】
請求項１記載の発明によれば、角部に設けられる検知ユニットの数が１組で済む。そのため低コストで且つ意匠性に優れた検知ユニットが得ることができる。
【００１８】
そして、検知ユニットの数を少なくできるので検知ユニットが目立ちにくく、見た目にも物々しいイメージがなくなり、侵入者以外の者に対して監視による威圧感を与えることがなくなる結果、良好な住環境イメージを維持しながら防犯効果を高めることができる。
【００１９】
また、角部に設けられる検知ユニットと直線部に設けられる検知ユニットを共通化出来るので、低コスト化をはかることができる。
【００２０】
さらに、前記アタッチメントを検知ユニットに取り付けることで、出力を切り替えることができるので人的ミスによる切換間違いをなくすことができる。
【００２１】
そして、出力切替スイッチを露出せずに設けることが出来るので、防水、粉塵に対する長期の信頼性を確保できる。
【００２２】
請求項２記載の発明によれば、自動的に出力を切り替えることができる。このため、人的ミスによる切換間違いをなくすことができる。
【００２３】
また、螺子の数を減らすことができ、現場でのアタッチメントの取り付け、取り外し等も容易となる。
【００２４】
請求項３記載の発明によれば、角部に設けられる検知ユニットの数は１組で済む。そのため低コストで且つ意匠性に優れた検知ユニットが得ることができる。
【００２５】
請求項４記載の発明によれば、検知ユニット全体を回転させて調整を行なう必要がないため、施工時の調整作業が向上する。
【００２６】
請求項５記載の発明によれば、必要な出力切替手段を自動的に切り替えることができる。このため、人的ミスによる切換間違いをなくすことができる。
【００２７】
請求項６記載の発明によれば、角部に設けられる検知ユニットと直線部に設けられる検知ユニットを共通化出来るので、低コスト化をはかることができる。
【００２８】
また、前記アタッチメントを検知ユニットに取り付けることで、自動的に出力を切り替えることができる。このため、人的ミスによる切換間違いをなくすことができる。
【００２９】
そして、出力切替スイッチが露出せず内部に設けることが出来るので、防水、粉塵に対する長期の信頼性を確保できる。
【発明を実施するための最良の形態】
【００３０】
以下、本発明の第１の実施形態について図面を参照しながら詳細に説明する。
【００３１】
＜防犯システムの構成＞
図１に示すように、本発明の防犯システムは、赤外線Ａを送信する送信部２および赤外線Ａを受信する受信部３とが一体形成されて防犯エリアの境界線（防犯エリアの境界線はフェンス１１で囲まれる領域であって、フェンス１１は、上下複数の横桟１１ａと左右複数の縦桟１１ｂとを組み合わせたフェンス本体１１ｃと、フェンス本体１１ｃの側面に沿って立設される複数本の支柱１２から構成されている）に沿って一方の送信部２と他方の送信部３とが対向するように配置された複数の検知ユニット１と、前記防犯エリアの境界線の角部Ｂに配置された検知ユニット１に取り付けられて検知ユニット１の受信部３へ赤外線Ａを反射するか又は送信部２からの赤外線Ａを反射するアタッチメント５とを備え、前記送信部２から送信された赤外線Ａを受信部３で受信する際に侵入者により赤外線Ａが遮られたときにこれを検知する防犯システムであって、前記アタッチメント５の前記検知ユニット１への取り付けによって該検知ユニット１の受信部３の赤外線Ａの受信出力又は送信部２の赤外線Ａの送信出力を切り替える出力切替手段５３を有する。
【００３２】
そして、検知ユニット１の送信部２から送信された赤外線Ａを受信部３で受信する際に、フェンス１１を乗り越える侵入者等により赤外線Ａが遮られたときにこれを検知して威嚇・報知等を行なう。
【００３３】
このとき、送信部２及び受信部３はそれぞれ上下２式からなり、赤外線Ａを２本（ダブルビーム方式）同時に感知することで浸入者と判断し、鳥などの小動物や落ち葉、外乱等による誤動作を軽減できるようになっている。
【００３４】
なお、検知ユニット１の電源は内蔵電池或いは外部電源や太陽電池等が利用される。
【００３５】
図２に示すように、検知ユニット１は送信部２と受信部３がそれぞれ送信ケース１５と受信ケース１６とからなる外郭ケースに納められて一体形成されている。そして、各ケースは１面の中央側面１ａと中央側面１ａを挟む２面の他側面１ｂの３面を有する構造である。このため、送信ケース１５と受信ケース１６からなる検知ユニット１は、略６角柱の外郭形状になっている。このとき、送信部２側と受信部３側の位置関係が明確に認識できて現場での据付が容易に出来るように、送信ケース１５と受信ケース１６は左右非対象の外郭形状を有している。
【００３６】
このように、検知ユニット１は、送信ケース１５の中央側面１ａ内の上下に赤外線を送信する送信部２を有し、受信ケース１６の中央側面１ａ内の上下に赤外線を受信する受信部３を有する送信・受信一体型となっている。
【００３７】
次に、角用の検知ユニット１には検知ユニット１にアタッチメント５が取り付けられる。
【００３８】
アタッチメント５の外郭ケースは、ボデイ部５ａとカバー部５ｂとからなり、カバー部５ｂは、赤外線を通す材質で構成され、角部の角度に合わせて赤外線の角度を曲げるための反射鏡４を覆う形状をしている。このカバー部５ｂをボデイ部５ａに取り付けるために、カバー部５ｂの上端部に、ボデイ部５ａと螺子止めされる螺子孔２９が設けられ、カバー部５ｂの下端部には、図示しない係止溝に係止される係止部が設けられている。これによりカバー部５ｂは螺子止めと係止によってボデイ部５ａに対して固定できるようになっている。
【００３９】
また、ボデイ部５ａを検知ユニット１の送信ケース１５に取り付けるために、ボデイ部５ａの背面の上端部には上向きの係止部６が設けられ、送信ケース１５に設けた図示しない引掛け溝に係止される。この引掛け溝と係止部６の係止によって、ボデイ部５ａの上端部が検知ユニット１に固定される。
【００４０】
さらに、カバー部５ｂの下端部の両サイドには螺子孔３０が設けられ、この螺子孔３０に組付螺子３２を挿入し、さらにボデイ部５ａの螺子止め部７を貫通して送信ケース１５の螺子孔１０に螺合することで、検知ユニット１に対するボデイ部５ａの下端部の固定とカバー部５ｂの下端部の固定とが同時に行なわれる。
【００４１】
そして、組付螺子３２が最終的に固定された状態で、組付螺子３２の先端が送信部内に設置された出力切替スイッチ５２を切り替えるようになっている。
【００４２】
このように、組付螺子３２と出力切替スイッチ５２が一組で出力切替手段５３として働くようになっている。  
＜検知ユニットの構造＞
検知ユニット１を詳しく説明する。図３（ａ）、（ｂ）に示すように、送信ケース１５は送信ケース１５の中央側面１aの上下２箇所の送信部２に赤外線を通すレンズ１７が設けられる庇１８付き開口部１９が設けられる。また、上下２箇所の送信部２の中間部に中央側面１ａ（１面）と他側面１ｂ（２面）の３側面に表示部１４がそれぞれ設けられ、他側面１ｂ（２面）の内部には報知灯１３がそれぞれ設置されている。
【００４３】
一方、受信ケース１６は、上下２箇所の受信部３に赤外線を通すレンズ１７が設けられる開口部２２が設けられていると共に、上下２箇所の受信部３の中間部に、中央側面１ａ（１面）と他側面１ｂ（２面）の３側面に表示部１４がそれぞれ設けられ、他側面１ｂ（２面）の内部には報知灯１３がそれぞれ設置されている。
【００４４】
これら送信ケース１５と受信ケース１６とを背面合わせにして螺子止めすることで、検知ユニット１は一体的に組み立てられる。
【００４５】
なお、送信ケース１５の中央側面１aの下部両隅には組付螺子３２用の螺子孔１０が設けられているが、この螺子孔１０の底は組付螺子３２が貫通されるまでは閉鎖された状態である。
【００４６】
＜アタッチメントの構造＞  
図４（а）に示すように、アタッチメント５は、ボデイ部５ａとカバー部５ｂとからなる。ボデイ部５ａは上下２箇所に赤外線を通す開口部２０を有する基板２５と、基板２５の上端からカバー部５ｂ側に突出する固定部２６と、基板２５の下端からカバー部５ｂ側に突出する係止部８とで一体形成されている。
【００４７】
ボデイ部５ａの背面の上端側には、検知ユニット１の送信ケース１５に設けた図示しない引掛け溝に係止されるための、上向きの係止部６が設けられている。なお、図示しない引掛け溝は図３（ｂ）における検知ユニット１の上部の開口部１９の庇１８の下面に設けられ、係止部６を引掛け溝に下方から引掛けて係止できるようになっている。
【００４８】
さらにボデイ部５ａの下端側の両サイドには検知ユニット１の送信ケース１５に設けた螺子孔１０に対向して螺子止めされる螺子止め部７が設けられており、ボデイ部５ａは係止と螺子止めとによって検知ユニット１の送信ケース１５に対して取り付け可能となっている。
【００４９】
図４（ｂ）に示すように、アタッチメント５のカバー部５ｂは、赤外線を通す材質で構成され、反射鏡４を覆う形状をしている。このカバー部５ｂをボデイ部５ａに取り付けるにあたっては、カバー部５ｂの上端部に、ボデイ部５ａに螺子止め用の螺子孔２９が設けられ、カバー部５ｂの下端部には、ボデイ部５ａの係止部８周縁に設けた図示しない係止溝に係止される係止部が設けられているので、カバー部５ｂは螺子止めと係止部によってボデイ部５ａに対して固定できる構造になっている。
【００５０】
そして、カバー部５ｂの下端部の両サイドには螺子孔３０が設けられ、この螺子孔３０から上記組付螺子３２を挿入し、さらにボデイ部５ａの螺子止め部７に挿入して検知ユニット１の螺子孔１０に螺合することで、検知ユニット１に対するボデイ部５ａの下端部の固定とカバー部５ｂの下端部の固定とが同時に行なわれる。
【００５１】
反射鏡４は、角部の角度に合わせて赤外線の角度を曲げるためのものであり、上下方向に長い板材３１の上下２箇所に設けられている。そして、反射鏡４は反射鏡４の回転軸の上軸部４ａ及び下軸部４ｂをボデイ部５ａの上下の支持孔４ｃに回転自在に挿入することで、反射鏡４をアタッチメント５に対して回転可能に取り付けることができる。
【００５２】
また、反射鏡４は回転軸の上軸部４ａに嵌入される操作ダイヤル３６を備えており、操作ダイヤル３６はカバー部５ｂに設けた操作用開口部２１から突出している。この操作ダイヤル３６を回転させることで、アタッチメント５の外側から反射鏡４の角度を変えるための回転操作ができるようになっている。
【００５３】
なお、反射鏡４の角度が振動等で容易に変わらないようにするため、回転軸とアタッチメント５との接触部に摩擦付与用のゴム製リングを取り付けるか、摩擦、ピニオン等にて適度な負荷を回転軸に与えるようにされる。  
さらに、反射鏡４は板材３１の表面に赤外線の減衰率が小さい高反射率の加工（例えばアルミ、銅等の蒸着、或いはメッキ等）をするか、或いは板材３１とは別構成の反射鏡を板材３１に接合することで形成される。
【００５４】
＜角用検知ユニット断面構造＞
図５に示すように、検知ユニット１の送信ケース１５部の上下２箇所に赤外線をＬＥＤで発光する送信部２と受信ケース１６部の上下２箇所に赤外線を受光するフォトトランジスタが受信部３に設けられている。また、送信ケース１５と受信ケース１６のそれぞれの他側面１ｂ（２面）の内部には報知灯１３が設置されている。なお、他の符号で示す構成に関しては、上述されているので説明を省略する。
【００５５】
図６に示すように、カバー部５ｂの下端部の両サイドに螺子孔３０が設けられ、この螺子孔３０から組付螺子３２を挿入し、さらにボデイ部５ａの螺子止め部７に挿入して検知ユニット１の螺子孔１０に螺合することで、検知ユニット１に対するボデイ部５ａの下端部の固定とカバー部５ｂの下端部の固定とが同時に行なわれる。
【００５６】
このとき、組付螺子３２の先端近傍には雄螺子３２аが設けられていて、検知ユニット１の螺子孔１０には雌螺子１０ｂが設けられている。また、螺子孔１０の底部１０ａは初期の段階では貫通しておらず薄肉構造で閉鎖された状態である。そして、検知ユニット１内の底部１０ａの延長上に、送信部２の送信出力を切り替えるための出力切替スイッチ５２が設けられている。
【００５７】
図５（ｂ）に示すように、組付螺子３２を螺子孔３０から挿入し、さらにボデイ部５ａの螺子止め部７を挿入して検知ユニット１の螺子孔１０に螺合すると、組付螺子３２の先端近傍の雄螺子３２аが螺子孔１０の雌螺子１０ｂと螺合するので組付螺子３２は更に挿入され、螺子孔１０の底部１０ａの薄肉構造は容易に貫通される。そして、検知ユニット１に対応するボデイ部５ａの下端部の固定とカバー部５ｂの下端部の固定とが同時に行なわれる。
【００５８】
そして、組付螺子３２が最終的に固定された状態では、組付螺子３２の先端が送信部内に設置された出力切替スイッチ５２を押し込んで作動させる状態になる。なお、組付螺子３２は左右２組で固定されるが、出力切替スイッチ５２は１組なので、一方の組付螺子３２のみが出力切替スイッチ５２を押し込むことになる。
【００５９】
なお、検知ユニット１は直線部も角部も共通で同一仕様として使用されるが、直線部で使用する組付螺子は、アッタチメント５がないのでアッタチメント５との組付螺子は不要である。そして、使用開始後に当初の投光出力が劣化により減少したようなときには、組付螺子を用いて予め用意されている出力切替スイッチ５２を作動させてその出力を高くすることが出来る。
【００６０】
＜防犯システムの作用＞
上述したように、検知ユニット１に対するボデイ部５ａの下端部とカバー部５ｂの下端部とが組付螺子３２により固定された状態では、組付螺子３２の先端が送信部内に設置された出力切替スイッチ５２を自動的に押し込んで作動させる状態になる。したがって、検知ユニット１が支柱１２に取り付けられたときには、すでに直線部と角部における送受信の感度は実質的に同じ状態に調整されている。
【００６１】
図７を用いて、このように出力切替スイッチ５２が切り替えられる状態の検知ユニット１による検知回路をブロック図で説明する。
【００６２】
まず、検知ユニットの送信部２が発光する赤外線の「上側と下側の送信出力」を上げるために、「出力切替スイッチ５２」で送信出力が切り替えられる。ここで、直線部と角部の検知ユニットに対してそれぞれに「増幅１（直線）」「増幅２（角）」の増幅された出力になる。なお、「増幅１（直線）」に関しては、ＬＥＤの発光が２段階で調節できる出力切替スイッチが設けられているが、据え付け初期の段階で特に増幅する必要はなく、ＬＥＤの発光劣化や受光側の出力劣化等が発生したときに出力切替スイッチを用いて発光の強度を上げることが出来る。
【００６３】
次に、他の検知ユニットの上下２箇所の受信部３には赤外線を受光するフォトトランジスタが設けられているので、受信部３では「上側受信出力と下側受信出力」を感知する。
【００６４】
このとき、発信側ですでに送信出力を上げたので、受信部３では「上側受信出力と下側受信出力」の各フォトトランジスタの検知信号はすでに増幅された信号として受け取ることが出来る。
【００６５】
次に、上側受信出力と下側受信出力は「フィルタ」（ノイズ除去バンドパスフィルタ）を通すことによってノイズを除去して、「マイコン４０」に入力される。
【００６６】
マイコン４０では、受信信号の「パルス数の認識」を行うとともに、初期設定されたパターンとの「パターン照合」を行う。
【００６７】
このパターン照合の「検知状態判定」の結果、異常と判断すれば、「発報（威嚇／警報）」として報知灯１３に信号を送る。
【００６８】
つまり、侵入者によって赤外線Ａが遮られると受信が遮断されるため、受信波形は受信信号規定値以下となるためマイコン４０が異常と判断し、図示しないＬＥＤ駆動信号線を介して報知灯１３に接続されている報知灯１３が点灯する。
【００６９】
以上説明したように、本発明の第１の実施形態によれば、従来のように２個１組の送信機と受信機とを並べて設置する必要がないので、低コストで且つ意匠性に優れた検知ユニットが得ることができる。
【００７０】
また、検知ユニットの数を少なくできるので検知ユニットが目立ちにくく、見た目にも物々しいイメージがなくなり、侵入者以外の者に対して監視による威圧感を与えることがなくなる結果、良好な住環境イメージを維持しながら防犯効果を高めることができる。
【００７１】
そして、角部に設けられる検知ユニットの数も１組で済む。したがって、角部での検知ユニットの数を減らすことができ、コストの低減、及び意匠性の向上を図ることができる。
【００７２】
また、角部に設けられる検知ユニットは直線部に設けられる検知ユニットと共通化出来るので、低コスト化をはかることができる。
【００７３】
さらに、反射鏡をアタッチメントによって保護できると共に、アタッチメントを係止と螺子止めとによって検知ユニットに固定することで、螺子止め数を減らすことができ、現場でのアタッチメントの取り付け、取り外し等も容易となる。
【００７４】
アタッチメントを取り付ける作業時に、検知ユニットを組付螺子が貫通して螺子止めされた状態で、組付螺子の先端が検知ユニット内に設置された出力切替スイッチを同時に押し込むことになるので、自動的に出力を切り替えることができる。このため、人的ミスによる切換間違いをなくすことができる。
【００７５】
また、出力切替スイッチが露出せず内部に設けることが出来るので、防水、粉塵に対する長期の信頼性を確保できる。
【００７６】
さらに、組付螺子が検知ユニットを貫通することで内部のスイッチを押し込むため、組付螺子の必要がない直線部の検知ユニットには穴が空くことがないので、防水、防塵に対する信頼性が向上する。
【００７７】
＜本発明の第２の実施形態を説明する。＞
本発明の第２の実施形態は、図８に示すように、アタッチメント５が検知ユニット１の発信ケース１５ではなく受信ケース１６に取り付けられ、出力切替スイッチ５２が受信ケース１６側から作動される点と、図３における赤外線Ａの方向が逆になる点を除いて、その他の構成は第１の実施形態と基本的には同様である。したがって、第１の実施形態と同じ内容はその説明を省略する。
【００７８】
図９のブロック図を用いて、出力切替スイッチ５２が作動した状態の検知ユニット１による検知回路をブロック図で説明する。
【００７９】
まず、検知ユニットの送信部２から赤外線が「上側と下側の送信出力」として発光し、他の検知ユニットの受信部３に「上側受信出力と下側受信出力」として受信される。
【００８０】
次に、この受信部３においては「出力切替スイッチ５２」が切り替えられているので、受光出力が「増幅１（直線）」「増幅２（角）」に増幅される。
【００８１】
このように、「上側受信出力と下側受信出力」は、発信側では送信出力を上げず、受信側で受信出力（受信した後の出力）が上げられることになる。
【００８２】
このように増幅された上側受信出力と下側受信出力は「フィルタ」（ノイズ除去バンドパスフィルタ）を通してノイズを除去したのち「マイコン４０」に入力される。この後の「発報」にいたる内容は第１の実施形態とまったく同様であるのでその説明を省略する。
【００８３】
以上説明したように、本発明の第２の実施形態によれば、本発明の第１の実施形態と実質的に同じ作用及び効果が得られる。
【００８４】
なお、上述の実施例はいずれも本発明の一例を示したものであり、本発明はこれらに限定されるべきものではないことは言うまでもない。
【００８５】
例えば、反射鏡４は必ずしも回転機構を備える必要はなく、反射鏡４をアタッチメント５に対して回転できないように固定し、角部Ｂに設置される検知ユニット１全体の角度を調整することも可能である。    
また、本発明に係る防犯システムは、マンション、アパート、一戸建て等の建築物の住宅外構やベランダ等のフェンス１１以外に、学校等の公共施設の塀廻りにも広く適用できるものである。  
【図面の簡単な説明】
【００８６】
【図１】本発明の第１の実施形態における防犯システムの、送信・受信一体型の検知ユニットを適宜間隔あけてフェンスに隔設した状態を示す斜視図である。
【図２】本発明の第１の実施形態における防犯システムの、検知ユニットとアタッチメントからなる角部検知ユニットの斜視図である。
【図３】本発明の第１の実施形態における防犯システムの検知ユニットの、(ａ)は受信ケース側から見た斜視図であり、（ｂ）は発信ケース側から見た斜視図である。
【図４】(ａ)は本発明の第１の実施形態における防犯システムのアタッチメントの斜視図であり、（ｂ）はアタッチメントのカバー部とボデイ部を組み付ける前の斜視図である。
【図５】本発明の第１の実施形態における防犯システムの、アタッチメントを検知ユニットに装着した状態の断面透視図である。
【図６】本発明の第１の実施形態における防犯システムの、アタッチメントを検知ユニットに装着するための組付螺子が、(ａ)は出力切替スイッチを押し付けていない状態の断面図であり、（ｂ）は出力切替スイッチを押し付けている状態の断面図である。
【図７】本発明の第１の実施形態における防犯システムの、赤外線が侵入者によって遮られたときの作動ブロック図である。
【図８】本発明の第２の実施形態における防犯システムの、検知ユニットとアタッチメントからなる角部検知ユニットの斜視図である。
【図９】本発明の第２の実施形態における防犯システムの、赤外線が侵入者によって遮られたときの作動ブロック図である。
【符号の説明】
【００８７】
１    検知ユニット
１ａ  中央側面
１ｂ  他側面
２    送信部
３    受信部
４    反射鏡
５    アタッチメント
５ａ  ボデイ部
５ｂ  カバー部
７    螺子止め部
１０  螺子孔
１１  フェンス
１１ａ  横桟
１１ｂ  縦桟
１２    支柱
１５  送信ケース
１６  受信ケース
２９  螺子孔
３０  螺子孔  
３２  組付螺子
５２  出力切替スイッチ
５３  出力切替手段
Ａ  赤外線
Ｂ  角部
【図１】
2005128845.tif 000003
【図２】
2005128845.tif 000004
【図３】
2005128845.tif 000005
【図４】
2005128845.tif 000006
【図５】
2005128845.tif 000007
【図６】
2005128845.tif 000008
【図７】
2005128845.tif 000009
【図８】
2005128845.tif 000010
【図９】
2005128845.tif 000011